(57)【要約】【課題】複数の光源による情報の記録再生を単一の光検出器にて行う情報処理装置の場合、各光源から記録媒体への光伝達効率の確保や光源パワーを単一の検出器でモニタする構成や記録媒体の複屈折への対応が困難といった課題がある。【解決手段】光源と各光源からの光を反射するビームスプリッターを集光レンズに対し波長の短い順に配置し、ビームスプリッターは少なくとも一つ以上の波長に対してＰ偏光とＳ偏光の透過率が異なる。【選択図】　図６
2004133987.tif 000002
【特許請求の範囲】
【請求項１】
複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ前記光を集光する集光レンズと、前記記録媒体からの反射光を受光する信号検出器と、前記複数の光源からの光の一部を受光する光源パワー検出器を有し、前記複数の光源を波長の短い順に第１の光源（波長λ１）、第２の光源（波長λ２）・・・第ｎの光源（波長λｎ）とし、第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターは夫々λ１からλｎの波長のうち少なくとも一つの波長に対してＰ偏光とＳ偏光の透過率が異なることを特徴とする情報処理装置。
【請求項２】
少なくとも一組の光源とビームスプリッターとの間にレンズが配置されている請求項１記載の情報処理装置。
【請求項３】
少なくとも一組の光源とビームスプリッターとの間に偏光素子が配置されている請求項１または２に記載の情報処理装置。
【請求項４】
少なくとも一組の光源とビームスプリッターとの間に回折格子が配置されている請求項１から３のいずれか１項に記載の情報処理装置。
【請求項５】
偏光素子と回折格子が一体で構成されている請求項４記載の情報処理装置。
【請求項６】
複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ前記光を集光する集光レンズと、前記記録媒体からの反射光を受光する信号検出器と、前記複数の光源からの光の一部を受光する光源パワー検出器を有し、前記複数の光源を波長の短い順に第１の光源（波長λ１）、第２の光源（波長λ２）・・・第ｎの光源（波長λｎ）とし、前記第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターはλ１からλｎの波長のうち少なくとも一つの波長に対してＰ偏光とＳ偏光の透過率が異なり、少なくとも一つのビームスプリッターにおいて、λ１からλｎの波長のうち少なくとも二つの波長に対しＰ偏光成分の透過率とＳ偏光成分の透過率が異なり、光源パワー検出器が複数光源からの光を受光することを特徴とする情報処理装置。
【請求項７】
少なくとも一組の光源とビームスプリッターとの間にレンズが配置されている請求項６記載の情報処理装置。
【請求項８】
少なくとも一組の光源とビームスプリッターとの間に偏光素子が配置されている請求項６または７に記載の情報処理装置。
【請求項９】
少なくとも一組の光源とビームスプリッターとの間に回折格子が配置されている請求項６から８のいずれか１項に記載の情報処理装置。
【請求項１０】
偏光素子と回折格子が一体で構成されている請求項９記載の情報処理装置。
【発明の詳細な説明】
【０００１】
【発明の属する技術分野】
本発明は、光学的に情報の記録再生消去等を行う情報処理装置に関する。
【０００２】
【従来の技術】
異なる波長で記録再生を行う複数の記録媒体を単一の装置で記録再生を行う場合、一般に波長の異なる複数の光源を有する情報処理装置が用いられる。
【０００３】
図１１は従来の情報処理装置の構成を示している（例えば特許文献１参照）。図１２は従来の構成における第１のビームスプリッターの本構成における透過率特性を、図１３は従来の構成における第２のビームスプリッターの本構成における透過率特性をそれぞれ示している。１１０１は波長λ１の略直線偏光を出射する第１の光源、１１０２は波長λ２の略直線偏光を出射する第２の光源である（λ１＜λ２）。第１の光源から出射された光は第１の回折格子１１０３を透過及び回折し、第１のビームスプリッター１１０４にＰ偏光として入射する。第１のビームスプリッター１１０４に入射した光の一部は反射し、第２のビームスプリッター１１０５、コリメートレンズ１１０６を透過、ミラー１１０７を反射し、集光レンズ１１０８によって第１の情報記録媒体１１０９に集光される。第１の情報記録媒体１１０９で反射された光は、逆の光路をたどって第１のビームスプリッター１１０４に到達、一部の光は透過し、検出レンズ１１１０を経て信号検出器１１１１に入射する。信号検出器１１１１に入射した光は信号検出器内の光検出器でフォーカス、トラッキング、ＲＦ等各種信号の検出が行われる。信号検出器１１１１の構成や、各種信号の検出方式は本発明の本質的な構成要素ではなく、また様々な構成が既に公知であるためその説明は省略する。
【０００４】
一方、第２の光源１１０２から出射された光は結合レンズ１１１２を透過し、第２の回折格子１１１３を透過及び回折し、一部の光は第２のビームスプリッター１１０５を透過し、光源パワー検出器１１１４に入射する。光源パワー検出器１１１４に入射した光は、光検出器によって電流または電圧に変換され、その信号はパワー制御回路１１１５に入力され、光源のパワー制御が行われる。光源パワー検出器１１１５の構成や、パワー制御方式は本発明の本質的な構成要素ではなく、また様々な構成が既に公知であるためその説明は省略する。また、第２の光源１１０２から出射され、第２のビームスプリッター１１０５に入射した光の一部は反射し、コリメートレンズ１１０６を透過、ミラー１１０７を反射し、集光レンズ１１０８によって第２の情報記録媒体１１１６に集光される（第２の情報記録媒体１１１６は前出の第１の情報記録媒体１１０９とは基板の厚みや情報の記憶密度などが異なる。）。情報記録媒体１１１６で反射された光は、逆の光路をたどって第２のビームスプリッター１１０５に到達、透過し、第１のビームスプリッター１１０４、検出レンズ１１１０を経て信号検出器１１１１に入射する。信号検出器１１１１に入射した光は信号検出器内の光検出器でフォーカス、トラッキング、ＲＦ等各種信号の検出が行われる。信号検出器の構成や、各種信号の検出方式は本発明の本質的な構成要素ではなく、また様々な構成が既に公知であるためその説明は省略する。
【０００５】
【特許文献１】
特開平１０−３０８０３１号公報
【０００６】
【発明が解決しようとする課題】
この従来の構成においては、第１の光源１１０１から集光レンズ１１０８へ導く光と集光レンズ１１０８から信号検出器１１１１へ導く光の分岐を第１のビームスプリッター１１０４を図１２の特性に示すようなハーフミラーとして用いることによって行っているため、第１の光源１１０１から集光レンズ１１０８へ導く光の伝達効率が低いため、多くの光が必要となる情報の記録を行うためには高出力な光源が必要となり、光源や光源を発光させる回路が高価になってしまうという課題と、第１の光源１１０１から出射した光のパワー検出ができないという課題を有している。また、情報の記録を行うために第１の光源１１０１に高出力の光源を使用する際、第１の情報記録媒体１１０９を反射した光のうち、信号検出器１１１１へ導かれる光は先述のように第１のビームスプリッター１１０４を透過する分のみであるため、第１の光源１１０１が低出力発光時の検出光量が微少となり、情報の再生や装置のフォーカス、トラッキングなどの制御が困難であるという課題を有している。つまり、第１の光源を用いた情報の記録が困難なため、従来の構成では複数の光源で情報の記録再生（特に記録）を行うことが困難であるという課題を有している。
【０００７】
本発明は、従来構成に対して同等の装置サイズにおいて、波長の短い光源のパワーを必要以上に高くすること無く、複数の光源からの光を効率よく情報記録媒体へ導くことができ、高価な光源や回路を用いずとも複数光源による情報の記録が可能な情報処理装置の実現を目的とする。また、単一の光源パワー検出器によって複数の光源のパワー検出が可能な小型、低コストの情報処理装置の実現を目的とする。
【０００８】
【課題を解決するための手段】
本発明の情報処理装置は、複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ前記光を集光する集光レンズと、前記記録媒体からの反射光を受光する信号検出器と、前記複数の光源からの光の一部を受光する光源パワー検出器を有し、前記複数の光源を波長の短い順に第１の光源（波長λ１）、第２の光源（波長λ２）・・・第ｎの光源（波長λｎ）とし、前記第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターは夫々λ１からλｎの波長のうち少なくとも一つの波長に対してＰ偏光とＳ偏光の透過率が異なるように構成したものである。
【０００９】
本発明の情報処理装置は、複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ前記光を集光する集光レンズと、前記記録媒体からの反射光を受光する信号検出器と、前記複数の光源からの光の一部を受光する光源パワー検出器を有し、前記複数の光源を波長の短い順に第１の光源（波長λ１）、第２の光源（波長λ２）・・・第ｎの光源（波長λｎ）とし、前記第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターはλ１からλｎの波長のうち少なくとも一つの波長に対してＰ偏光とＳ偏光の透過率が異なり、少なくとも一つのビームスプリッターにおいて、λ１からλｎの波長のうち少なくとも二つの波長に対しＰ偏光成分の透過率とＳ偏光成分の透過率が異なり、光源パワー検出器が複数光源からの光を受光するように構成したものである。
【００１０】
また、少なくとも一組の光源とビームスプリッターとの間にレンズが配置されるようにしてもよい。
【００１１】
また、少なくとも一組の光源とビームスプリッターとの間に偏光素子が配置されるようにしてもよい。
【００１２】
また、少なくとも一組の光源とビームスプリッターとの間に回折格子が配置されるようにしてもよい。
【００１３】
また、偏光素子と回折格子が一体で構成されるようにしてもよい。
【００１４】
【発明の実施の形態】
以下、本発明の実施の形態について、図面を参照しながら説明する。
【００１５】
（実施の形態１）
図１は本発明の実施の形態１の構成図である。１０１は波長λ１の略直線偏光を出射する第１の光源、１０２は波長λ２の略直線偏光を出射する第２の光源である（λ１＜λ２）。第１の光源１０１は第１のビームスプリッター１０５にＳ偏光として入射するように配置されている。第１のビームスプリッター１０５の本構成における膜特性は図２に示す特性となっており、Ｓ偏光で入射した波長λ１の光の大部分は反射する。一部の透過した光は第１の光源パワー検出器１１３に入射し電流あるいは電圧変換され、パワー制御回路１１７に入力され、第１の光源１０１の駆動電流制御用信号として用いられる。第１のビームスプリッター１０５を反射した光はコリメートレンズ１０７により略平行光となり、ミラー１０８を反射し、ホログラム１０９を透過し、さらに１／４波長板１１０を透過し略円偏光に変換され、集光レンズ１１１によって第１の情報記録媒体１１２に集光される。ここで、ホログラム１１０は第１の光源１０１側から入射する波長λ１の光（往路光）については回折作用をせず、第１の情報記録媒体１１２側から入射する波長λ１の光（復路光）については回折作用を行う偏光ホログラムとすることにより（往路光と復路光は１／４波長板１１０により偏光方向が直交しているため）、第１の光源１０１から第１の情報記録媒体１１２へ効率良く光を導くことができる。第１の情報記録媒体１１２で反射された光は、逆の光路をたどって第１のビームスプリッター１０５に到達するが、１／４波長板１１０を透過した際にＰ偏光に変換されているため、第１のビームスプリッター１０５を略全透過し、第２のビームスプリッター１０６に入射する。
【００１６】
第２のビームスプリッター１０６の本構成における膜特性は図３に示す特性となっており、波長λ１の光は略全透過する。第２のビームスプリッター１０６を透過した光は光学素子１１５を経て信号検出器１１６に入射する。信号検出器１１６に入射した光は信号検出器内の光検出器でフォーカス、トラッキング、ＲＦ等各種信号の検出が行われる。本構成における信号検出法としては、例えば、第１の情報記録媒体１１２から反射した光をホログラム１０９により回折させて信号検出器１１６に光を導くことによって、フォーカス、トラッキング、ＲＦ信号検出が可能である。信号検出器の構成は様々な構成が既に公知であり、本発明の本質的な構成要素ではないためその説明は省略する。
【００１７】
一方、第２の光源１０２は第２のビームスプリッター１０６にＰ、Ｓ偏光両方の成分が含まれるように光軸中心に角度ψだけ回転された状態で配置されている。第２のビームスプリッター１０６の本構成における膜特性は図３に示す特性となっており、Ｓ偏光で入射した波長λ２の光は略全反射するが、Ｐ偏光成分の光は透過して第２の光源パワー検出器１１４に入射する。この光は電流あるいは電圧変換され、パワー制御回路１１７に入力され、第２の光源１０２の駆動電流制御用信号として用いられる。ここで、第２の光源パワー検出器１１４に入射する光量はψや膜特性により所望値に設定することが可能である。第２のビームスプリッター１０６を反射した光は第１のビームスプリッター１０５を透過し、コリメートレンズ１０７により略平行光となり、ミラー１０８を反射し、ホログラム１０９、１／４波長板１１０を透過し、集光レンズ１１１によって第２の情報記録媒体１１８に集光される。
【００１８】
本構成においては、例えば、ホログラム１０９として波長選択性を有するものを用いることによりλ２の波長の光に対しては回折作用をしない構成が可能となり、第２の光源１０２からの光を効率よく第２の情報記録媒体１１８へ導くことができる。ホログラムに波長選択性をもたせるには、例えば、回折格子の光学的深さをλ２の整数倍とする構成を採用することによりλ２の波長の光を回折させないことが可能である。第２の情報記録媒体１１８で反射された光は、逆の光路をたどって第２のビームスプリッター１０６に到達するが、１／４波長板１１０を透過した際にＰ偏光成分が発生しているため、Ｐ偏光成分の光は第２のビームスプリッター１０６を透過し光学素子１１５を経て信号検出器１１６に入射する。信号検出器１１６に入射した光は信号検出器内の光検出器でフォーカス、トラッキング、ＲＦ等各種信号の検出が行われる。本構成における信号検出法としては、光学素子１１５をホログラムやレンズとすることでもフォーカス、トラッキング、ＲＦ信号検出が可能である。
【００１９】
従来例（図１１）では第１の光源１１０１からの光を効率よく情報記録媒体１１０９へ導けないため、高いパワーが必要な情報の記録には高価な高出力光源や回路が必要となる課題を有しているが、本構成のように光源とビームスプリッターを配置し、ビームスプリッターの膜特性として上述のものを用いることにより、従来構成と同等の装置サイズにおいて、複数の光源からの光を効率よく情報記録媒体へ導くことができ、高価な光源や回路を用いずとも複数光源による情報の記録が可能な情報処理装置が実現できる。
【００２０】
本構成において第１の光源を用いた情報の記録再生を行う際に３ビームを用いたトラッキング検出法を行う場合は、第１の光源１０１と第１のビームスプリッター１０５の間に回折格子を配置すればよい。本構成において第１の光源１０１からの光を第１の光源パワー検出器１１３に導く別の手段として、第１の光源１０１と第１のビームスプリッター１０５との間に１／２波長板を配置する方法がある。
【００２１】
このとき第１の光源１０１からは第１のビームスプリッター１０５に対しいかなる方向の偏光が出射されてもよい。１／２波長板の光学軸方向を第１の光源１０１からの光の偏光方向とθ傾けて配置することにより、１／２波長板に入射するときの偏光方向に対し出射するときの偏光方向を２θ回転させることができるため、このθの設定によりＰ偏光、Ｓ偏光を任意の比率で第１のビームスプリッター１０５に導くことができる。
【００２２】
このときは第１のビームスプリッター１０５の膜特性は図４に示す特性とすることができ、図２に示したものに対し膜の設計や製造が容易となるメリットを得ることができるとともに、第１の光源１０１から出射される偏光方向は任意に設定できるため、第１の光源１０１から出射されるファーフィールドパターンを所望の方向に設定することができ、集光レンズ１１１によって第１の情報記録媒体１１２に集光される光スポット（一般的に楕円形状）の長手方向を情報の記録再生に適した方向に配することができるため、高性能な記録再生性能を得ることができる。また、３ビーム用の回折格子と１／２波長板を一体で構成して第１の光源１０１と第１のビームスプリッター１０５の間に配置することにより、スペースやコストの削減が可能である。また、第１の光源１０１と第１のビームスプリッター１０５との間にレンズを配置することにより、集光レンズ１１１へ導かれる光の利用効率やリム強度を所望値に設定することが可能である。
【００２３】
また、第２の光源１０２を用いた情報の記録再生を行う場合に３ビームを用いたトラッキング検出法を行う場合は、第２の光源１０２と第２のビームスプリッター１０６の間に回折格子を配置すればよい。本構成において第２の光源１０２からの光を第２の光源パワー検出器１１４に導く別の手段として、第２の光源１０２と第２のビームスプリッター１０６との間に１／２波長板を配置する方法がある。このとき、第２の光源１０２からは第２のビームスプリッター１０６に対しいかなる方向の偏光が出射されてもよい。１／２波長板の光学軸方向を第２の光源１０２からの光の偏光方向とψ傾けて配置することにより、１／２波長板に入射するときの偏光方向に対し出射するときの偏光方向を２ψ回転させることができるため、このψの設定によりＰ、Ｓ偏光を任意の比率で第２のビームスプリッター１０６に導くことができる。第２の光源１０２から出射される偏光方向は任意に設定できるため、第２の光源１０２から出射されるファーフィールドパターンを所望の方向に設定することができ、集光レンズ１１１によって第２の情報記録媒体１１８に集光される光スポット（一般的に楕円形状）の長手方向を情報の記録再生に適した方向に配することができるため、高性能な記録再生性能を得ることができる。
【００２４】
また、このときは３ビーム用の回折格子と１／２波長板を一体で構成することによりスペースやコストの削減が可能である。また、第２の光源１０２と第２のビームスプリッター１０６との間にレンズを配置することにより、集光レンズ１１１へ導かれる光の利用効率やリム強度を所望値に設定することが可能である。また、第２のビームスプリッター１０６の膜特性を図５に示す特性とすることにより、第２の情報記録媒体１１８が複屈折性を有することに起因して、第２の情報記録媒体１１８からの反射光の偏光状態がいかなる状態に変化した場合でも、信号検出器１１６へ常に光が導かれるため、高い情報再生性能を有する構成とすることが可能である。図５第２の光源１０２の波長λ２のＳ偏光、Ｐ偏光に対する透過率は低いが、第２の光源１０２のパワーを上げることができる度合いは、第１の光源１０１のそれに比べ十分大きいので、第２の光源１０２のパワーを十分高くすれば、信号検出器１１６へ必要な光を伝達できるので問題はない。このときは、波長板１１０の位相差Δ（ｎｍ）をΔλ≒｛ｉ＋（１／４）｝×λ１＝ｊ×λ２（ｉ、ｊ：整数）となるように選び、波長板１１０はλ２の光の偏光状態をほとんど変換しない構成とすることにより、ホログラム１０９として波長選択性を有さない安価なものを用いることができるため（波長選択性を有さないホログラムを用いてもλ２の波長の光の回折損を生じないため）、装置の低価格化を実現できる。例えば、λ１＝６５０ｎｍ、λ２＝７９０ｎｍの場合、１／４波長板１１０として位相差８００ｎｍ程度のものを選べば、λ１の光については１／４波長板として作用するが、λ２の波長に対しては偏光状態をほとんど変換しないため、往路と復路の偏光方向はほぼ同一となり、ホログラム１０９は波長λ２の光に対しては回折作用をしない構成が可能となり、第２の光源１０２からの光を効率よく第２の情報記録媒体１１８へ導くことができる。
【００２５】
なお、本構成における第１のビームスプリッター１０５、第２のビームスプリッター１０６は板状の形状としてもよいことは言うまでもない。また、本構成において第１の光源１０１、第１のビームスプリッター１０５、第１の光源パワー検出器１１３のブロックはコリメートレンズ１０７の中心と信号検出器１１６の中心とを結ぶ光軸中心に任意の角度に回転させて配置させてもよい。第２の光源１０２、第２のビームスプリッター１０６、第２の光源パワー検出器１１４のブロックについても同様である。
【００２６】
また本実施の形態では光源が２つ、ビームスプリッターが２つのものについて説明をしたが光源、ビームスプリッターが夫々３つ以上の場合であってもよく、この場合には、複数の光源を波長の短い順に第１の光源（波長λ１）、第２の光源（波長λ２）・・・第ｎの光源（波長λｎ）とし、第ｎの光源からの光を反射させて記録媒体へ導くビームスプリッターを第ｎのビームスプリッターとし、集光レンズと第ｎのビームスプリッターとの距離をＬｎとしたとき、Ｌ１＜Ｌ２＜・・・＜Ｌｎとなるように第１から第ｎのビームスプリッターを配置し、第１から第ｎのビームスプリッターは夫々λ１からλｎの波長のうち少なくとも一つの波長に対してＰ偏光とＳ偏光の透過率が異なるように構成すればよい。
【００２７】
（実施の形態２）
図６は本発明の実施の形態２の構成図である。２０１は波長λ１の略直線偏光を出射する第１の光源、２０２は波長λ２の略直線偏光を出射する第２の光源である（λ１＜λ２）。第１の光源２０１は第１のビームスプリッター２０５にＳ偏光として入射するように配置されている。第１のビームスプリッター２０５の本構成における膜特性は図７に示す特性となっており、Ｓ偏光で入射した波長λ１の光の大部分は反射する。一部の透過した光は光源パワー検出器２１３に入射し電流あるいは電圧変換され、パワー制御回路２１７に入力され、第１の光源２０１の駆動電流制御用信号として用いられる。第１のビームスプリッター２０５を反射した光はコリメートレンズ２０７により略平行光となり、ミラー２０８を反射し、ホログラム２０９を透過し、さらに１／４波長板２１０を透過し略円偏光に変換され、集光レンズ２１１によって第１の情報記録媒体２１２に集光される。ここで、ホログラム２１０は第１の光源２０１側から入射する波長λ１の光（往路光）については回折作用をせず、第１の情報記録媒体２１２側から入射する波長λ１の光（復路光）については回折作用を行う偏光ホログラムとすることにより（往路光と復路光は１／４波長板２１０により偏光方向が直交しているため）、第１の光源２０１から第１の情報記録媒体２１２へ効率良く光を導くことができる。第１の情報記録媒体２１２で反射された光は、逆の光路をたどって第１のビームスプリッター２０５に到達するが、１／４波長板２１０を透過した際にＰ偏光に変換されているため、第１のビームスプリッター２０５を略全透過し、第２のビームスプリッター２０６に入射する。第２のビームスプリッター２０６の本構成における膜特性は図８に示す特性となっており、波長λ１の光は略全透過する。第２のビームスプリッター２０６を透過した光は光学素子２１５を経て信号検出器２１６に入射する。信号検出器２１６に入射した光は信号検出器内の光検出器でフォーカス、トラッキング、ＲＦ等各種信号の検出が行われる。本構成における信号検出法としては、例えば、第１の情報記録媒体２１２から反射した光をホログラム２０９により回折させて信号検出器２１６に光を導くことによって、フォーカス、トラッキング、ＲＦ信号検出が可能である。信号検出器２１６の構成は様々な構成が既に公知であり、本発明の本質的な構成要素ではないためその説明は省略する。
【００２８】
一方、第２の光源２０２は第２のビームスプリッター２０６に対しＳ偏光が出射されるように配置されている。第２のビームスプリッター２０６の本構成における膜特性は図８に示す特性となっており、Ｓ偏光で入射した波長λ２の光は略全反射し、第１のビームスプリッター２０５に入射する。第１のビームスプリッター２０５に入射した光は図７あるいは図９に示した膜特性に従い、一部の光は反射し光源パワー検出器２１３に入射する。この光は電流あるいは電圧変換され、パワー制御回路２１７に入力され、第２の光源２０２の駆動電流制御用信号として用いられる。一方、第１のビームスプリッター２０５を透過した光は、コリメートレンズ２０７により略平行光となり、ミラー２０８を反射し、ホログラム２０９、１／４波長板２１０を透過し、集光レンズ２１１によって第２の情報記録媒体２１８に集光される。本構成においては、例えば、ホログラム２０９として波長選択性を有するものを用いることによりλ２の波長の光に対しては回折作用をしない構成が可能となり、第２の光源２０２からの光を効率よく情報記録媒体２１８へ導くことができる。ホログラム２０９に波長選択性をもたせるのは、例えば、回折格子の光学的深さをλ２の整数倍とすることによりλ２の波長の光を回折させないことが可能である。第２の情報記録媒体２１８で反射された光は、逆の光路をたどって第２のビームスプリッター２０６に到達するが、１／４波長板２１０を透過した際にＰ偏光成分が発生しているため、Ｐ偏光成分の光は第２のビームスプリッター２０６を透過し光学素子２１５を経て信号検出器２１６に入射する。信号検出器２１６に入射した光は信号検出器内の光検出器でフォーカス、トラッキング、ＲＦ等各種信号の検出が行われる。本構成における信号検出法としては、光学素子２１５をホログラムやレンズとすることでもフォーカス、トラッキング、ＲＦ信号検出が可能である。
【００２９】
従来例（図１１）では第１の光源１１０１からの光を効率よく情報記録媒体１１０９へ導けないため、高いパワーが必要な情報の記録には高価な高出力光源や回路が必要となる課題を有しているが、本構成のように光源とビームスプリッターを配置し、ビームスプリッターの膜特性として上述のものを用いることにより、従来構成と同等の装置サイズにおいて、複数の光源からの光を効率よく情報記録媒体へ導くことができ、高価な光源や回路を用いずとも複数光源による情報の記録が可能な情報処理装置が実現できる。しかも、複数光源の光のパワー検出を単一の検出器によって行うことができるためさらに小型、低コストな情報処理装置を実現することができる。
【００３０】
本構成において第１の光源を用いた情報の記録再生を行う際に３ビームを用いたトラッキング検出法を行う場合は、第１の光源２０１と第１のビームスプリッター２０５の間に回折格子を配置すればよい。本構成において第１の光源２０１からの光を第１の光源パワー検出器２１３に導く別の手段として、第１の光源２０１と第１のビームスプリッター２０５との間に１／２波長板を配置する方法がある。このとき第１の光源２０１からは第１のビームスプリッター２０５に対しいかなる方向の偏光が出射されてもよい。１／２波長板の光学軸方向を光源２０１からの光の偏光方向とθ傾けて配置することにより、１／２波長板に入射するときの偏光方向に対し出射するときの偏光方向を２θ回転させることができるため、このθの設定によりＰ、Ｓ偏光を任意の比率で第１のビームスプリッター２０５に導くことができる。このときは第１のビームスプリッター２０５の膜特性は図９に示す特性とすることができ、図７に示したものに対し膜の設計や製造が容易となるメリットがあるとともに、第１の光源２０１から出射されるファーフィールドパターンを所望の方向に設定することができ、集光レンズ２１１によって第１の情報記録媒体２１２に集光される光スポット（一般に楕円形状）の長手方向を情報の記録再生に適した方向に配することができるため、高性能な記録再生性能を得ることができる。また、３ビーム用の回折格子と１／２波長板を一体で構成して光源２０１と第１のビームスプリッター２０５の間に配することにより、スペースやコストの削減が可能である。また、第１の光源２０１と第１のビームスプリッター２０５との間にレンズを配置することにより、集光レンズ２１１へ導かれる光の利用効率やリム強度を所望値に設定することが可能である。
【００３１】
また、第２の光源２０２を用いた情報の記録再生を行う場合に３ビームを用いたトラッキング検出法を行う場合は、第２の光源２０２と第２のビームスプリッター２０６の間に回折格子を配置すればよい。本構成において第２の光源２０２からの光を光源パワー検出器２１３に導く別の手段として、第２の光源２０２と第２のビームスプリッター２０６との間に１／２波長板を配置する方法がある。このとき、第２の光源２０２からは第２のビームスプリッター２０６に対しいかなる方向の偏光が出射されてもよい。１／２波長板の光学軸方向を第２の光源２０２からの光の偏光方向とψ傾けて配置することにより、１／２波長板に入射するときの偏光方向に対し出射するときの偏光方向を２ψ回転させることができる。このψの設定によりＰ、Ｓ偏光を任意の比率で第２のビームスプリッター２０６に導くことができる。第２の光源２０２から出射される偏光方向は任意に設定できるため、第２の光源２０２から出射されるファーフィールドパターンを所望の方向に設定することができ、集光レンズ２１１によって第２の情報記録媒体２１８に集光される光スポット（一般的に楕円形状）の長手方向を情報の記録再生に適した方向に配することができるため、高性能な記録再生性能を得ることができる。また、このときは３ビーム用の回折格子と１／２波長板を一体で構成することによりスペースやコストの削減が可能である。また、第２の光源２０２と第２のビームスプリッター２０６との間にレンズを配置することにより、集光レンズ２１１へ導かれる光の利用効率やリム強度を所望値に設定することが可能である。また、第２のビームスプリッター２０６の膜特性を図１０に示す特性とすることにより、第２の情報記録媒体２１８が複屈折性を有し、第２の情報記録媒体２１８からの反射光の偏光状態がいかなる状態に変化した場合でも、信号検出器２１６へ常に光が導かれるため、高い情報再生性能を有する構成とすることが可能である。このときは、波長板２１０の位相差Δ（ｎｍ）をΔλ≒｛ｉ＋（１／４）｝×λ１＝ｊ×λ２（ｉ、ｊ：整数）となるように選び、波長板２１０はλ２の光の偏光状態をほとんど変換しない構成とすることにより、ホログラム２０９として波長選択性を有さない安価なものを用いることができるため（波長選択性を有さないホログラムを用いてもλ２の波長の光の回折損を生じないため）、装置の低価格化を実現できる。例えば、λ１＝６５０ｎｍ、λ２＝７９０ｎｍの場合、１／４波長板２１０として位相差８００ｎｍ程度のものを選べば、λ１の光については１／４波長板として作用するが、λ２の波長に対しては偏光状態をほとんど変換しないため、往路と復路の偏光方向はほぼ同一となり、ホログラム２０９は波長λ２の光に対しては回折作用をしない構成が可能となり、第２の光源２０２からの光を効率よく第２の情報記録媒体２１８へ導くことができる。
【００３２】
なお、本構成における第１のビームスプリッター２０５、第２のビームスプリッター２０６は板状の形状としてもよいことは言うまでもない。また、本構成において第１の光源２０１、第１のビームスプリッター２０５、第１の光源パワー検出器２１３のブロックはコリメートレンズ２０７の中心と信号検出器２１６の中心とを結ぶ光軸中心に任意の角度に回転させて配置させてもよい。第２の光源２０２、第２のビームスプリッター２０６のブロックについても同様である。
【００３３】
また本実施の形態では光源が２つ、ビームスプリッターが２つのものについて説明をしたが光源、ビームスプリッターが夫々３つ以上の場合であってもよく、この場合には、複数の光源を波長の短い順に第１の光源（波長λ１）、第２の光源（波長λ２）・・・第ｎの光源（波長λｎ）とし、第ｎの光源からの光を反射させて記録媒体へ導くビームスプリッターを第ｎのビームスプリッターとし、集光レンズと第ｎのビームスプリッターとの距離をＬｎとしたとき、Ｌ１＜Ｌ２＜・・・＜Ｌｎとなるように前記第１から第ｎのビームスプリッターを配置し、第１から第ｎのビームスプリッターはλ１からλｎの波長のうち少なくとも一つの波長に対してＰ偏光とＳ偏光の透過率が異なるように設計し、少なくとも一つのビームスプリッターにおいて、λ１からλｎの波長のうち少なくとも二つの波長に対しＰ偏光成分の透過率とＳ偏光成分の透過率が異なるように設計し、光源パワー検出器が複数光源からの光を受光するように構成すればよい。
【００３４】
【発明の効果】
以上のように本発明は、複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ前記光を集光する集光レンズと、前記記録媒体からの反射光を受光する信号検出器と、光源パワー検出器を有し、前記複数の光源を波長の短い順に第１の光源（波長λ１）、第２の光源（波長λ２）・・・第ｎの光源（波長λｎ）とし、前記第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターは夫々λ１からλｎの波長のうち少なくとも一つの波長に対してＰ偏光とＳ偏光の透過率が異なるように構成したもので、従来例では複数の光源による情報の記録が困難であったが、本構成により、従来構成と同等の装置サイズにおいて、波長の短い光源のパワーを必要以上に高くすること無く、複数の光源からの光を効率よく情報記録媒体へ導くことができ、高価な光源や回路を用いずとも複数光源による情報の記録が可能な情報処理装置が実現できる。
【００３５】
本発明の情報処理装置は、複数の光源を有し、前記複数の光源よりの光を記録媒体に照射して情報の記録再生を行う情報処理装置であって、前記複数の光源からの光を反射させて前記記録媒体へ導く、前記複数の光源と同数のビームスプリッターと、前記記録媒体へ光を集光する集光レンズと、前記記録媒体からの反射光を受光する信号検出器と、光源パワー検出器を有し、前記複数の光源を波長の短い順に第１の光源（波長λ１）、第２の光源（波長λ２）・・・第ｎの光源（波長λｎ）とし、前記第ｎの光源からの光を反射させて前記記録媒体へ導くビームスプリッターを第ｎのビームスプリッターとし、前記集光レンズと前記第ｎのビームスプリッターとの距離をＬｎとしたとき、Ｌ１＜Ｌ２＜・・・＜Ｌｎとなるように前記第１から第ｎのビームスプリッターを配置し、前記第１から第ｎのビームスプリッターはλ１からλｎの波長のうち少なくとも一つの波長に対してＰ偏光とＳ偏光の透過率が異なり、少なくとも一つのビームスプリッターにおいて、λ１からλｎの波長のうち少なくとも二つの波長に対しＰ偏光成分の透過率とＳ偏光成分の透過率が異なり、光源パワー検出器が複数光源からの光を受光するように構成したもので、従来例では複数の光源による情報の記録が困難であったが、本構成により、従来構成と同等の装置サイズにおいて、波長の短い光源のパワーを必要以上に高くすること無く、複数の光源からの光を効率よく情報記録媒体へ導くことができ、高価な光源や回路を用いずとも複数光源による情報の記録が可能な情報処理装置が実現できるばかりか、複数光源の光のパワー検出を単一の検出器によって行うことができるためさらに小型、低コストとなる情報処理装置を実現することができるという優れた効果が得られる。
【００３６】
また、少なくとも一組の光源とビームスプリッターとの間にレンズが配置されるようにすれば、集光レンズへ導かれる光の利用効率やリム強度を所望値に設定することが可能である。
【００３７】
また、少なくとも一組の光源とビームスプリッターとの間に偏光素子が配置されるようにすれば、ビームスプリッターの膜の設計や製造を容易にすることや、光スポットの長手方向を情報の記録再生に適した方向に配することができる。
【００３８】
また、少なくとも一組の光源とビームスプリッターとの間に回折格子が配置されるようにすれば、３ビームを用いたトラッキング検出法を行うことができる。
【００３９】
また、偏光素子と回折格子が一体で構成すれば、スペース、コストの削減が可能となる。
【図面の簡単な説明】
【図１】本発明の実施の形態１による情報処理装置の構成図
【図２】本発明の実施の形態１における第１のビームスプリッターの膜特性の一例を示す特性図
【図３】本発明の実施の形態１における第２のビームスプリッターの膜特性の一例を示す特性図
【図４】本発明の実施の形態１における第１のビームスプリッターの他の膜特性の一例を示す特性図
【図５】本発明の実施の形態１における第２のビームスプリッターの他の膜特性の一例を示す特性図
【図６】本発明の実施の形態２による情報処理装置の構成図
【図７】本発明の実施の形態２における第１のビームスプリッターの膜特性の一例を示す特性図
【図８】本発明の実施の形態２における第２のビームスプリッターの膜特性の一例を示す特性図
【図９】本発明の実施の形態２における第１のビームスプリッターの他の膜特性の一例を示す特性図
【図１０】本発明の実施の形態２における第２のビームスプリッターの他の膜特性の一例を示す特性図
【図１１】従来の情報処理装置の構成図
【図１２】従来の情報処理装置における第１のビームスプリッターの膜特性を示す特性図
【図１３】従来の情報処理装置における第２のビームスプリッターの膜特性を示す特性図
【符号の説明】
１０１，２０１，１１０１　第１の光源
１０２，２０２，１１０２　第２の光源
１０５，２０５，１１０４　第１のビームスプリッター
１０６，２０６，１１０５　第２のビームスプリッター
１０７，２０７，１１０６　コリメートレンズ
１０８，２０８，１１０７　ミラー
１０９，２０９　ホログラム
１１０，２１０　１／４波長板
１１１，２１１，１１０８　集光レンズ
１１２，２１２，１１０９　第１の情報記録媒体
１１８，２１８，１１１６　第２の情報記録媒体
１１３　第１の光源パワー検出器
１１４　第２の光源パワー検出器
２１３，１１１４　光源パワー検出器
１１５，２１５　光学素子
１１６，２１６，１１１１　信号検出器
１１７，２１７，１１１５　パワー制御回路
１１１０　検出レンズ
１１０３　第１の回折格子
１１１２　結合レンズ
１１１３　第２の回折格子
【図１】
2004133987.tif 000003
【図２】
2004133987.tif 000004
【図３】
2004133987.tif 000005
【図４】
2004133987.tif 000006
【図５】
2004133987.tif 000007
【図６】
2004133987.tif 000008
【図７】
2004133987.tif 000009
【図８】
2004133987.tif 000010
【図９】
2004133987.tif 000011
【図１０】
2004133987.tif 000012
【図１１】
2004133987.tif 000013
【図１２】
2004133987.tif 000014
【図１３】
2004133987.tif 000015